(57)【要約】【課題】複数の部材に分割することで小型化が可能であり、携帯性および収納性に優れるスクリーンを提供することを目的とする。【解決手段】帯状のスクリーン材３１と、スクリーン材３１を収納する収納部と、を備える複数のユニット１Ａ，１Ｂを有し、ユニット１Ａ，１Ｂが所定の配列方向に配列すると共に、各々のスクリーン材３１の周縁部同士を接続することで、一体の投射面を成すスクリーンシート３を構成することを特徴とするスクリーンＳ。【選択図】図１
2010175949.tif 000002
【特許請求の範囲】
【請求項１】
帯状のスクリーン材と、前記スクリーン材を収納する収納部と、を備える複数のユニットを有し、
前記ユニットが所定の配列方向に配列されると共に、前記スクリーン材が前記収納部から引き出された状態で、各々の前記スクリーン材の周縁部同士が接続されることで、一体の投射面を成すスクリーンシートが構成されることを特徴とするスクリーン。
【請求項２】
隣接する一対の前記スクリーン材における前記周縁部の、いずれか一方または両方に、隣接するスクリーン材同士を接続する接続手段を有することを特徴とする請求項１に記載のスクリーン。
【請求項３】
隣接する一対の前記スクリーン材は、前記周縁部において互いに重畳して密着することを特徴とする請求項１または２に記載のスクリーン。
【請求項４】
前記スクリーン材の端面は、曲面加工または面取り加工が施されていることを特徴とする請求項３に記載のスクリーン。
【請求項５】
一端が前記収納部と結合し、前記スクリーンシートを保持する複数の支柱を有することを特徴とする請求項１から４のいずれか１項に記載のスクリーン。
【請求項６】
前記支柱は、長さが変更可能であることを特徴とする請求項５に記載のスクリーン。
【請求項７】
前記スクリーン材は、引き出し方向の端部に梁材を有すると共に、複数の前記スクリーン材の各々における前記梁材が、相互に連結して前記スクリーンシートの梁部を成し、
前記支柱は、前記梁材同士の連結部分を係止し、前記梁部を介して前記スクリーンシートを保持する係止部を有することを特徴とする請求項５または６に記載のスクリーン。
【請求項８】
前記支柱は平坦面を有し、
前記平坦面と前記スクリーンシートとの各々に、互いに密着させる密着手段が設けられていることを特徴とする請求項５から７のいずれか１項に記載のスクリーン。
【請求項９】
前記支柱は、隣接する一対の前記スクリーン材の継ぎ目と重なって配置され、
前記継ぎ目と重なって、前記密着手段が設けられていることを特徴とする請求項８に記載のスクリーン。
【請求項１０】
前記密着手段は、前記周縁部において互いに重畳する一対の前記スクリーン材のうち、一方の前記スクリーン材に配置され、
前記密着手段は、前記一方のスクリーン材と前記支柱とが他方の前記スクリーン材を挟持して接合することで、一対の前記スクリーン材同士を接続する接続手段を兼ねることを特徴とする請求項９に記載のスクリーン。
【請求項１１】
前記他方のスクリーン材には、前記一方のスクリーン材が露出する貫通孔が設けられ、
前記一方のスクリーン材は、前記貫通孔を介して前記支柱と密着することを特徴とする請求項１０に記載のスクリーン。
【請求項１２】
複数の前記ユニットが、前記配列方向に互いに摺動し伸縮可能な一組のユニットセットを構成し、
複数の前記ユニットセット同士が脱着可能に構成されていることを特徴とする請求項１から１１のいずれか１項に記載のスクリーン。
【請求項１３】
前記ユニットセットは、摺動方向における前記ユニット同士の相対位置を規定する位置決め手段を有していることを特徴とする請求項１２に記載のスクリーン。
【請求項１４】
請求項１から１３のいずれか１項に記載のスクリーンと、前記スクリーンに画像を投射する投射型表示装置と、を備えることを特徴とするプロジェクションシステム。
【発明の詳細な説明】
【技術分野】
【０００１】
本発明は、スクリーンおよびプロジェクションシステムに関するものである。
【背景技術】
【０００２】
従来、プロジェクター（投射型表示装置）を用いた展示会や学会、会議等のプレゼンテーションや、あるいはホームシアター等の映像視聴のための拡大画像の投射面として、反射スクリーンが用いられている。このような反射スクリーンの中には、不使用時にスクリーンを巻き取って収納する収納部を有しているものがある。特許文献１には、収納部を備えた自立式の大画面スクリーンの構成が開示されている。
【先行技術文献】
【特許文献】
【０００３】
【特許文献１】特開平５−１９３５７号公報
【発明の概要】
【発明が解決しようとする課題】
【０００４】
しかしながら、上記特許文献の構成では、スクリーンの縦横寸法のうち縦方向の寸法については、不使用時に収納部に収納されることによって縮小するが、スクリーンの横幅が減少することはない。そのため、収納部はスクリーンの横幅以上の長さを有することが必要であり、大画面を表示可能なスクリーンに対しては、相応の長さを有する収納部が必要となる。例えば１００インチの大画面表示が可能なスクリーンだと、収納部の長さは２ｍ以上となり、広い収納場所が必要となる。
【０００５】
また、近年の技術開発によりプロジェクターが小型化し、容易に持ち運びが可能となっていることから、不特定の場所で拡大画像を利用することができようになっているのに対し、大型のスクリーンは携帯性が悪く、持ち運びが非常に困難である。そのため、結果として、プロジェクターの使用箇所がスクリーンを設置した場所に限られてしまうこととなっている。
【０００６】
本発明はこのような事情に鑑みてなされたものであって、複数の部材に分割し小型化が可能なスクリーンを提供することを目的とする。また、携帯性および収納性に優れるプロジェクションシステムを提供することを合わせて目的とする。
【課題を解決するための手段】
【０００７】
上記の課題を解決するため、本発明のスクリーンは、帯状のスクリーン材と、前記スクリーン材を収納する収納部と、を備える複数のユニットを有し、前記ユニットが所定の配列方向に配列されると共に、前記スクリーン材が前記収納部から引き出された状態で、各々の前記スクリーン材の周縁部同士が接続されることで、一体の投射面を成すスクリーンシートが構成されることを特徴とする。
この構成によれば、不使用時や運搬時にはスクリーンを複数のユニットに分割することができるため、小型化が可能で収納性や携帯性が高いスクリーンとすることができる。
【０００８】
本発明においては、隣接する一対の前記スクリーン材における前記周縁部の、いずれか一方または両方に、隣接するスクリーン材同士を接続する接続手段を有することが望ましい。
この構成によれば、スクリーン材同士の一体性を高めたスクリーンシートとすることができる。
【０００９】
本発明においては、隣接する一対の前記スクリーン材は、前記周縁部において互いに重畳して密着することが望ましい。
この構成によれば、スクリーン材同士の継ぎ目に、観察者が認識可能な隙間が無くなり、良好な投射面を有するスクリーンとすることができる。
【００１０】
本発明においては、前記スクリーン材の端面は、曲面加工または面取り加工が施されていることが望ましい。
この構成によれば、スクリーン材同士の継ぎ目において投射光による影の発生を抑制し、一体感の高いスクリーンとすることができる。
【００１１】
本発明においては、一端が前記収納部と結合し、前記スクリーンシートを保持する複数の支柱を有することが望ましい。
この構成によれば、スクリーンシートの自重によるたるみが生じにくく、平坦性の高いスクリーンとすることができる。
【００１２】
本発明においては、前記支柱は、長さが変更可能であることが望ましい。
この構成によれば、より収納性や携帯性が高まる。
【００１３】
本発明においては、前記スクリーン材は、引き出し方向の端部に梁材を有すると共に、複数の前記スクリーン材の各々における前記梁材が、相互に連結して前記スクリーンシートの梁部を成し、前記支柱は、前記梁材同士の連結部分を係止し、前記梁部を介して前記スクリーンシートを保持する係止部を有することが望ましい。
この構成によれば、支柱がスクリーンシートの保持に加えて、スクリーン材同士の接続の補助を行うことができる。
【００１４】
本発明においては、前記支柱は平坦面を有し、前記平坦面と前記スクリーンシートとの各々に、互いに密着させる密着手段が設けられていることが望ましい。
この構成によれば、支柱をスクリーンシートの平坦性確保のためのガイドとしても用いることができ、投射面が高い平坦性を具備するスクリーンとすることができる。
【００１５】
本発明においては、前記支柱は、隣接する一対の前記スクリーン材の継ぎ目と重なって配置され、前記継ぎ目と重なって、前記密着手段が設けられていることが望ましい。
この構成によれば、継ぎ目を支柱で直接保持することでスクリーン材同士の継ぎ目における隙間の発生を抑制し、良好な投射面を有するスクリーンとすることができる。
【００１６】
本発明においては、前記密着手段は、前記周縁部において互いに重畳する一対の前記スクリーン材のうち、一方の前記スクリーン材に配置され、前記密着手段は、前記一方のスクリーン材と前記支柱とが他方の前記スクリーン材を挟持して接合することで、一対の前記スクリーン材同士を接続する接続手段を兼ねることが望ましい。
この構成によれば、スクリーン材同士の接続と、スクリーンシートと支柱との接続と、を、同じ密着手段で兼ねることができるため、構成を簡略化することができる。
【００１７】
本発明においては、前記他方のスクリーン材には、前記一方のスクリーン材が露出する貫通孔が設けられ、前記一方のスクリーン材は、前記貫通孔を介して前記支柱と密着することが望ましい。
この構成によれば、密着手段による一方のスクリーンと支柱との接合がより強固に行われるため、スクリーンシートを安定に保持し、投射面が高い平坦性を具備するスクリーンとすることができる。
【００１８】
本発明においては、複数の前記ユニットが、前記配列方向に互いに摺動し伸縮可能な一組のユニットセットを構成し、複数の前記ユニットセット同士が脱着可能に構成されていることが望ましい。
この構成によれば、不使用時には、ユニットをスライドさせてユニットセットを縮めることで、ユニットセット毎に容易にまとめることができ、収納性や携帯性を高めたスクリーンとすることができる。
【００１９】
本発明においては、前記ユニットセットは、摺動方向における前記ユニット同士の相対位置を規定する位置決め手段を有していることが望ましい。
この構成によれば、使用時にユニット同士を所定の相対位置に配置しやすいため、組み立てが容易なスクリーンとすることができる。
【００２０】
また、本発明のプロジェクションシステムは、上記のスクリーンと、前記スクリーンに画像を投射する投射型表示装置と、を備えることを特徴とする。
この構成によれば、投射型表示装置と共に携帯性に優れるスクリーンを用いることで、配置自由度の高いプロジェクションシステムを実現できる。
【図面の簡単な説明】
【００２１】
【図１】本実施形態のスクリーンおよびプロジェクションシステムを示す斜視図である。
【図２】本実施形態のスクリーンを構成するユニットを示す斜視図である
【図３】本実施形態のユニットの構成を示す説明図である。
【図４】本実施形態のユニットの底部を示す斜視図である。
【図５】本実施形態のユニットの側壁を示す斜視図である。
【図６】本実施形態のユニットの動きを示す説明図である。
【図７】本実施形態の支柱を示す分解斜視図である。
【図８】本実施形態の支柱を構成する第１部材を説明する説明図である。
【図９】本実施形態の支柱を構成する第３部材を説明する説明図である。
【図１０】本実施形態のスクリーンシートを示す説明図である。
【図１１】本実施形態のスクリーンシートの継ぎ目部分を示す説明図である。
【図１２】本実施形態のスクリーンシートと支柱との組み立ての様子を示す説明図である。
【発明を実施するための形態】
【００２２】
以下、図１〜図１２を参照しながら、本発明の実施形態に係るスクリーンについて説明する。なお、以下の全ての図面においては、図面を見やすくするため、各構成要素の膜厚や寸法の比率などは適宜異ならせてある。
【００２３】
図１は、本実施形態のスクリーンＳ、および本実施形態のプロジェクションシステムＰＳを示す斜視図であり、図１（ａ）はスクリーンＳの表面側、図１（ｂ）は同じく裏面側を示す。図に示すように、本実施形態のスクリーンＳは、複数のユニット１Ａ，１Ｂと、ユニット１Ａ，１Ｂから引き出された複数のスクリーン材３１が互いに接続され、結合してなるスクリーンシート３と、を有している。また、１つのユニット１Ａと、１つのユニット１Ｂとが一組のユニットセット１Ｓを成しており、該ユニットセット１Ｓを複数個（本実施形態では３組）用いて、スクリーンＳを構成している。
【００２４】
プロジェクションシステムＰＳは、スクリーンＳにスクリーンＳに拡大画像を投射可能なプロジェクターＰＪを加えた構成となっている。
【００２５】
図では、ユニット１Ａ、１Ｂを略直方体形状で示している。複数のユニット１Ａ同士およびユニット１Ｂ同士は、それぞれが間隔を空けながら配列している。ユニット１Ａの列、ユニット１Ｂの列は隣り合っており、隣り合うユニット１Ａの隙間部分に重なってユニット１Ｂが配置され、長手方向の端部において互いに接続されている。そのため、ユニット１Ａ，１Ｂは、自身の長手方向に、互い違いに配列している。
【００２６】
スクリーンシート３は、隣接するスクリーン材３１同士が互いに接続されて構成されている。スクリーンＳの裏面側には、ユニット１Ｂ上、およびエンドユニット４上に設けられた複数の支柱５が配置され、スクリーンシート３を支持している。また、スクリーンシート３の上端には円筒形の梁部６が設けられており、複数の支柱５の上端で梁部６を保持している。更に、ユニット１Ａ，１Ｂの各々には、板状の支持足７が設けられている。
【００２７】
こうしたスクリーンＳは、近接投影タイプのプロジェクターＰＪから投射された光（投射光Ｌ）をスクリーンシート３上の投射面に映し出し、拡大画像を表示する。観察者は、プロジェクターＰＪ側から拡大画像を観察する。
【００２８】
本発明のスクリーンＳは、スクリーンシートを含めた全体が複数のユニット毎に分解可能であることを特徴としている。そのため、スクリーンＳの不使用時には収納場所を小さくすることができ、また、携帯性が良いために、スクリーンＳの設置場所を変更することが容易となる。
【００２９】
以下、スクリーンＳを構成する各構成要素について詳細に説明し、各構成要素を組み合わせてスクリーンＳとなることを示す。図２から図６は、ユニットセット１Ｓおよびユニット１Ａ，１Ｂの説明図であり、図７から図９は、支柱５の説明図であり、図１０から図１２は、スクリーンシート３の説明図である。
【００３０】
まず、ユニットセット１Ｓおよびユニット１Ａ，１Ｂについての説明を行う。
図２は、各構成を示す斜視図である。ここでは、１つのユニットセット１Ｓを示している。
【００３１】
ユニット１Ａ、１Ｂは、帯状のスクリーン材３１ａ，３１ｂを収納する略直方体形状の収納部１０を有しており、収納部１０の上部からスクリーン材３１ａ，３１ｂが引き出し可能となっている。引き出されたスクリーン材３１の長手方向の端部には、各々梁材６ａが設けられており、隣り合う梁材６ａ同士が結合されることで、図１に示したスクリーンシートの梁部６を構成する。
【００３２】
図３は、ユニットセット１Ｓの各部を示す説明図であり、図３（ａ）は、ユニット１Ａ，１Ｂが組み合わさった状態での短手方向の断面図、図３（ｂ）はユニット１Ａ，１Ｂの長手方向の断面図である。
【００３３】
図に示すように、ユニット１の収納部１０の内部には、スクリーン材３１を巻き取る軸部１１、軸部１１を支持する軸受け１２、を有するスプリングローラーが備えられており、収納部１０の筐体上部には、スクリーン材３１を引き出すための開口部１４が設けられている。図では、梁材６ａが収納部１０の外にある状態を示しているが、例えば、収納部１０の筐体上部が開いて、梁材６ａが収納部１０内に収納可能としても良い。
【００３４】
開口部１４は、収納部１０の筐体上部において平面視で一方の内壁に偏った位置に設けられている。ユニット１Ａとユニット１Ｂとは、互いの開口部１４が近接するように設置されているため、互いのスクリーン材３１の下端が近づき、形成されるスクリーンシートの平面性を保ちやすい配置となっている。
【００３５】
各々の収納部１０の内部では、ユニット１Ａのスクリーン材３１ａは、投射光Ｌの投射面３１ｘが軸部１１側となる内巻きに巻かれて収納されており、ユニット１Ｂのスクリーン材３１ｂは、投射面３１ｙが軸部１１とは反対側を向く外巻きに巻かれて収納されている。
【００３６】
図４は、ユニットセット１Ｓの底部を示す斜視図である。収納部１０の底部に設けられた板状の支持足７は、平面視中心に設けられた回転軸Ｒ周りに回転可能となっており、不使用時には収納部１０の底部に設けられた収納溝１７に収納される。そのため、移送時に支持足７が他の荷物等と干渉することがなく携帯性や収納性が高い。
【００３７】
図５は、ユニット１Ａとユニット１Ｂとの組み合わせ部分である外側側壁を示す斜視図であり、図５（ａ）はユニット１Ａ、図５（ｂ）はユニット１Ｂの側壁を示す。
【００３８】
図５（ａ）に示すように、ユニット１Ａが有する収納部１０ａの側壁には、長手方向に延在して形成された凸条部（凸部）１５ａと、側壁の長手方向の一端側において凸条部１５ａの上側に設けられた第１ピン（位置決め手段）１６ａと、他端側において凸条部１５ａの下側に設けられた第２ピン（位置決め手段）１８ａと、を有している。凸条部１５ａは、自身の稜線方向と平行な側面が逆テーパー状の傾斜を備えて形成されている。
【００３９】
また、図５（ｂ）に示すように、ユニット１Ｂが有する収納部１０ｂの側壁には、長手方向の両端にまで延在して形成された凹部１５ｂと、凹部１５ｂの上側において長手方向に延在して設けられ、両端が閉じた第１溝部（位置決め手段）１６ｂと、側壁の長手方向の両端において凹部１５ｂの下側に設けられた第２溝部（位置決め手段）１８ｂと、を有している。凹部１５ｂは、自身の延在方向と平行な側面が逆テーパー状の傾斜を備えて形成されている。
【００４０】
ユニット１Ａとユニット１Ｂとが組み合わさる場合には、凸条部１５ａが凹部１５ｂに嵌入し、ユニット１Ａ，１Ｂの長手方向に相対的にスライド可能となっている。凸条部１５ａおよび凹部１５ｂの各々の側面は逆テーパー状となっているために、凸条部１５ａを凹部１５ｂに嵌入させた後には、ユニット１Ａ，１Ｂがはずれにくくなっている。
【００４１】
また、図５に示す第１ピン１６ａと第１溝部１６ｂとが組み合わさっており、ユニット１Ａ，１Ｂをスライドさせて延ばすと、いずれ第１溝部１６ｂの端部に第１ピン１６ａが突き当たる。そのため、ユニット同士が外れることが防止される。
【００４２】
同様に、ユニット１Ａ，１Ｂの端部を揃えた状態で両者を組み合わせた場合には、第１溝部１６ｂの端部に第１ピン１６ａが突き当たる。そのため、ユニットセットを縮めて収納する際に、ユニット同士の相対的な収納位置が規定され、収納が容易となる。
【００４３】
更に、複数のユニットセットを組み合わせて大型のスクリーンとする場合に、第２ピン１８ａが第２溝部１８ｂに突き当たるようになっている。そのため、ユニットセット同士の連結位置が規定され、連結が容易となる。
【００４４】
このようなユニット１Ａ，１Ｂを組み合わせたユニットセット１Ｓは、図６に示すように、長手方向に伸縮自在な構成とすることができる。図６（ａ）はユニットセット１Ｓを縮めた状態、図６（ｂ）はユニットセット１Ｓを引き延ばした状態を示す。
本実施形態のスクリーンＳが備えるユニットセット１Ｓおよびユニット１Ａ，１Ｂは、以上のような構成となっている。
【００４５】
次に、支柱５についての説明を行う。
図７は、支柱５を示す分解斜視図である。図に示すように、支柱５は、第１部材５１、第２部材５２、第３部材５３が互いに連結して構成された略角柱状を呈している。第１部材５１は、支柱５の上端部分を含み、第３部材５３は支柱５の下端部分を含む。
【００４６】
第１部材５１と第３部材５３とを連結する第２部材５２は、適宜長さを変更することで、支柱５の高さを変えることができる。或いは、第２部材５２が複数の短い部材で構成されており、連結数を変更することで高さ調整を行う事としても良い。
【００４７】
各部材の連結部分は、段差を生じない方が好ましく、例えば、一方の部材の端部が細くなっており、該一方の部材の端部を他方の部材の端部に差し込んで連結するジョイント式となっている。
【００４８】
図８は、第１部材５１を説明する説明図である。図８（ａ）に示すように、第１部材５１の上端には、鈎状の係止部５６が設けられている。係止部５６は、図８（ｂ）に示すように、支柱５とした際に、スクリーンシート３の端部に設けられた梁部６を保持するために用いられる。
【００４９】
本実施形態では、係止部５６の断面視形状が、Ｃ字状の切り欠き円形となっており、切り欠き部の間口が円柱状の梁部６の直径と比べて狭くなっている。係止部５６にて梁部６を係止する際には、切り欠き部から係止部５６の内側に向けて梁部６を押し込んで嵌める。なお、梁部６の保持が出来るならば、係止部５６の形状はこれに限らない。
【００５０】
このように保持されるスクリーンシート３には、不図示の収納部内に設けられたスプリングローラーによって巻き取られる力が加わっているため、スクリーンシート３の表面を平坦に保つ張力が常に加わることとなる。
【００５１】
図９は、第３部材５３を説明する説明図である。図９（ａ）に示すように、第３部材５３の下方には、第３部材５３の長手方向へ延びるテーパー状の傾斜面５７が設けられており、また下端には、第３部材５３の長手方向と直交する向きに接続凸部５９が設けられている。
【００５２】
また、支柱５が設置されるユニット１Ｂの上面には、図９（ｂ）に示すように、接続凹部１９が設けられている。
【００５３】
そのため、図９（ｃ）に示すように、支柱５は、接続凸部５９が接続凹部１９に嵌合することでユニット１Ｂの上面に設置される。また、支柱５の下方には傾斜面５７が設けられているため、支柱５が設置された際に支柱５が開口部１４に干渉することが無く、不図示のスクリーン材の引き出しを妨げない。
本実施形態のスクリーンＳが備える支柱５は、以上のような構成となっている。
【００５４】
次に、スクリーンシート３についての説明を行う。
図１０は、スクリーンシート３を示す説明図である。スクリーンシート３は、複数のユニット１Ａのスクリーン材３１ａと、ユニット１Ｂのスクリーン材３１ｂと、が交互に接続されることによって構成されており、図１０（ａ）はスクリーン材３１ａ、図１０（ｂ）はスクリーン材３１ｂ、図１０（ｃ）はスクリーンシート３の継ぎ目部分を示している。
【００５５】
図１０（ａ）に示すように、スクリーン材３１ａには、長辺に沿った周縁部に重なり部３２ａが設けられており、重なり部３２ａには等間隔で円形の磁石（接続手段、密着手段）３５ａが複数設けられている。スクリーン材３１ａが有する梁材６ａの端部には、重なり部３２ａと同幅で円柱状の梁材６ａの一部を略半分に割った形状の切り欠き部６１ａが設けられている。
【００５６】
また、図１０（ｂ）に示すように、スクリーン材３１ｂは、長辺に沿った周縁部に重なり部３２ｂが設けられており、重なり部３２ｂにはスクリーン材３１ａに設けられた磁石３５ａと同じ間隔で複数の貫通孔３５ｂが設けられている。スクリーン材３１ｂが有する梁材６ａの端部には、重なり部３２ｂと同幅で円柱状の梁材６ａの一部を略半分に割った形状の切り欠き部６１ｂが設けられている。
【００５７】
図１０（ｃ）に示すように、これらのスクリーン材３１ａ，３１ｂは、互いの重なり部３２ａ，３２ｂ同士を重ね合わせて接続し、一体のスクリーンシート３を構成する。スクリーン材３１ａに設けられた磁石３５ａは、スクリーン材３１ｂに設けられた貫通孔３５ｂから覗くように重なっている。また、切り欠き部６１ａ，６１ｂが互いに連結する連結部分６５は、梁材６ａと同形状の円柱状となる。
【００５８】
図１１は、スクリーンシート３の継ぎ目部分を示す断面図である。図に示すように、スクリーン材３１ａ，３１ｂの重なり部の近傍では、スクリーン材３１ａの端部が、面取り加工または曲面加工が成されていることが望ましい。図では、このような加工を行っていないスクリーン材３１ａを破線で重ねて示している。加工を行うことで、投射光Ｌを投射する際に、スクリーン材３１ａの厚さに起因する影ＳＤの発生を抑制し、スクリーンシート３の継ぎ目を観察者に感じさせなくなる。
【００５９】
図１２は、スクリーンシート３と支柱５とを組み合わせる組み立ての様子を示す説明図である。
【００６０】
図１２（ａ）に示すように、組み立てにおいては、スクリーン材３１ａ，３１ｂの互いの重なり部３２ａ，３２ｂが、支柱５と重なるように配置する。この時、例えば支柱５の磁石３５ａと対向する位置に、鉄などの磁性体、または磁石３５ａと引きあう極を磁石３５ａ側に向けた磁石を配置することにより、磁石３５ａが支柱５に貼り付く。支柱５全体を磁性体で形成することとしても良い。
【００６１】
磁石３５ａは、スクリーン材３１ａとスクリーン材３１ｂとを同時に支柱５に固定するため、結果、磁石３５ａにより、スクリーン材３１ａとスクリーン材３１ｂとの接続と、スクリーンシート３の支柱５への固定と、の両方が行われる。
【００６２】
また、支柱５の上端に設けられた係止部５６により、切り欠き部６１ａ，６１ｂが連結する連結部分６５を係止する。そのため、支柱５がスクリーンシート３の保持に加えて、スクリーン材３１ａ，３１ｂ同士の接続を補助することができる。
【００６３】
また、図１２（ｂ）に示すように、支柱５は角柱状であるために、磁石３５ａが貼り付く面は平坦面５ｓとなっている。スクリーンシート３が支柱５の平坦面５ｓに沿って固定されることで、スクリーンシート３の平面性を確保しやすくなる。
本実施形態のスクリーンＳが備えるスクリーンシート３は、以上のような構成となっている。
【００６４】
以上のような構成のスクリーンＳによれば、不使用時や運搬時にはスクリーンＳを複数のユニット１Ａ，１Ｂに分割することができるため、収納性や携帯性が高いスクリーンＳとすることができる。また、このスクリーンＳを用いたプロジェクションシステムＰＳは、携帯性に優れるため、配置自由度が高いプロジェクションシステムＰＳを実現できる。
【００６５】
なお、本実施形態においては、スクリーン材３１が収納部内のスプリングローラーによって巻き取られることとしているがこれに限らず、例えば蛇腹状に折りたたんで収納することとしても良い。
【００６６】
また、本実施形態においては、ユニット１Ａの列とユニット１Ｂの列との２列からスクリーン材を引き出し、スクリーンシートを構成することとしたが、ユニットの列は２列に限らない。
【００６７】
また、本実施形態においては、ユニットセット１Ｓを複数用いてスクリーンＳを構成しているため、用いるユニット１Ａ，１Ｂの総数が偶数になっているが、もちろんこれには限らない。例えば、ユニット１Ｂのみを用いて小型のスクリーンとしても良く、また、ユニットセット１Ｓにユニット１Ｂを加えて、ユニット総数が奇数となる構成とすることもできる。
【００６８】
また、本実施形態においては、ユニット１Ａの凸条部１５ａがユニット１Ｂの凹部１５ｂに嵌入することで、伸縮可能なユニットセット１Ｓを構成することとしたが、ユニット１Ａ，１Ｂが相互に摺動することでユニットセット１Ｓの伸縮を可能とするならば、これに限らない。
【００６９】
また、本実施形態においては、ユニットセット１Ｓを３組（ユニット１Ａ，１Ｂを各々３つずつ）用いる構成としたがこれに限らず、任意の数のユニットを連結してスクリーンシートを構成することができる。そのため、必要に応じて用いるユニットの数を変更することで、スクリーンシートの横寸法を変えることができる。更に、スクリーンシートの縦寸法は、各ユニットが備えるスクリーン材の引き出し長さを変えることで変更可能であることから、これらを組み合わせてスクリーンシート全体の大きさ（投射面の面積）を変更することができる。
【００７０】
また、本実施形態においては、スクリーンシート３と支柱５とを密着させる密着手段として、磁石を用いることとしたが、これに限らない。密着させる手段としては、例えば、面ファスナーやボタンなどの物理的な係止を行う部材、粘着テープ等の粘着部材、吸盤のように大気圧を利用した真空吸着によるもの、スクリーンシートと支柱との間に発生する静電気を利用したものなど、を用いることができる。
【００７１】
また、本実施形態においては、スクリーン材３１ａに設けられた磁石３５ａを用いて、スクリーン材３１ｂを同時に支柱５に固定することとしたが、スクリーン材同士を接続する部材（接続手段）と、スクリーンシート３と支柱５とを接続する部材（密着手段）と、を別々に設けることとしても構わない。このような構成の場合には、必ずしも密着手段がスクリーン材３１同士の重なり部分に配置されなくても良い。
【００７２】
また、本実施形態においては、スクリーン材３１ａ，３１ｂは、互いに重なり部３２ａ，３２ｂで重なることとしたが、重ならずに、支柱５の表面でスクリーン材の端面同士が突き合わされて接続されることとしても良い。このようにすると、スクリーン材３１の厚さに起因する影が生じず、スクリーンシート３の継ぎ目を観察者に感じさせなくなる。
【００７３】
また、本実施形態においては、支柱５は、ジョイント式の連結方式を採用し、部材の数や長さを変更することにより支柱５の長さを変更することとしているが、これに限らない。例えば、筒状に設けられた一方の部材（例えば、第１部材５１）の中に他方の部材（例えば、第２部材５２）を挿入し、引き出す長さを制御することで支柱５全体の長さを制御することとしても良い。
【００７４】
また、本実施形態においては、支柱５は、角柱状の形状を有することとしているが、これに限らず、断面形状が、略円形、略楕円形、多角形、など種々の形状とすることができる。これらの断面形状を取る支柱であっても、スクリーンシートの平面性を担保するために、スクリーンシートと接する箇所は平坦面であることが望ましい。
【００７５】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００７６】
例えば、本実施形態のスクリーンＳは、映し出された投射画像をプロジェクターＰＪ側から観察する反射型スクリーンであることとして説明したが、プロジェクターＰＪとは反対側から投射画像を観察する透過型スクリーンとしても良い。その場合には、支柱の存在が投射画像を遮ることのないように、支柱５がスクリーンＳの両端のみで支持するようにすれば良い。また、このような構成の場合には、梁材６ａ同士を連結させるための連結部材を別途用いて梁部６を構成することとすると良い。
【００７７】
また、本実施形態のスクリーンＳは、ユニット１Ａ，１Ｂから上方にスクリーン材を引き出す自立式のスクリーンであることとしたが、スクリーンシートの縦横の２方向のうち、一方向は収納部に収納することで、他方の一方向はスクリーンシートを複数に分割することで、結果として収納性を高める構成であればこれに限らない。
【００７８】
例えば、ユニット１Ａ，１Ｂをつり下げ、スクリーン材を下方に引き出す構成としても良い。このような構成の場合には、スプリングローラーによる巻き上がりを防ぐための構成があれば、支柱５は必ずしも必要ではない。また、ユニット１Ａ、１Ｂを縦方向に配列し、横方向にスクリーン材を引き出す構成とすることとしても良い。
【符号の説明】
【００７９】
１Ａ，１Ｂ…ユニット、１Ｓ…ユニットセット、３…スクリーンシート、５…支柱、５ｓ…平坦面、６…梁部、６ａ…梁材、１０，１０ａ，１０ｂ…収納部、１５ａ…凸条部（凸部）、１５ｂ…凹部、１６ａ…第１ピン（位置決め手段）、１６ｂ…第１溝部（位置決め手段）、１８ａ…第２ピン（位置決め手段）、１８ｂ…第２溝部（位置決め手段）、３１，３１ａ，３１ｂ…スクリーン材、３２ａ，３２ｂ…重なり部（周縁部）、３５ａ…磁石（密着手段）、３５ｂ…貫通孔、５６…係止部、６５…連結部分、ＰＪ…プロジェクター（投射型表示装置）、Ｓ…スクリーン、
【図１】
2010175949.tif 000003
【図２】
2010175949.tif 000004
【図３】
2010175949.tif 000005
【図４】
2010175949.tif 000006
【図５】
2010175949.tif 000007
【図６】
2010175949.tif 000008
【図７】
2010175949.tif 000009
【図８】
2010175949.tif 000010
【図９】
2010175949.tif 000011
【図１０】
2010175949.tif 000012
【図１１】
2010175949.tif 000013
【図１２】
2010175949.tif 000014